(57)【要約】      （修正有）【課題】導光板を一枚のパネルに組み立てて必要な配線を行う工程が少なく精密な位置決めが容易で製造コストが安い、高品質の画像具現と薄型化に適した液晶表示装置用のバックライトユニットを提供する。【解決手段】液晶パネルの下部に配置され該液晶パネルに光を照射するバックライトユニットであって、前記バックライトユニットの横（Ｗ）方向もしくは縦（Ｌ）方向に分割された複数の第１ブロックを形成する複数の導光板と、前記複数の導光板の各々の側部に配置され該当ブロックの導光板に光を入光させる複数のＬＥＤとを有し、前記複数のＬＥＤは前記第１ブロックが更に分割された複数の第２ブロックを形成し、前記ＬＥＤは前記第２ブロック毎に部分駆動されるバックライトユニット。【選択図】図６
2009186523.tif 000002
【特許請求の範囲】
【請求項１】
液晶パネルの下部に配置され該液晶パネルに光を照射するバックライトユニットであって、前記バックライトユニットの横（Ｗ）方向もしくは縦（Ｌ）方向に分割された複数の第１ブロックを形成する複数の導光板と、前記複数の導光板の各々の側部に配置され該当ブロックの導光板に光を入光させる複数のＬＥＤとを有し、前記複数のＬＥＤは前記第１ブロックが更に分割された複数の第２ブロックを形成し、前記ＬＥＤは前記第２ブロック毎に部分駆動されることを特徴とする液晶表示装置用のバックライトユニット。
【請求項２】
前記ＬＥＤは、隣り合う前記第１ブロックの導光板の下部に配置されることを特徴とする請求項１に記載の液晶表示装置用のバックライトユニット。
【請求項３】
前記第１ブロックの導光板は、隣り合う第１ブロックの導光板と瓦状に重なることを特徴とする請求項１または請求項２に記載の液晶表示装置用のバックライトユニット。
【請求項４】
前記第１ブロックの導光板の片側に、隣り合う第１ブロックの導光板と嵌合する切り欠き部を有することを特徴とする請求項３に記載の液晶表示装置用のバックライトユニット。
【請求項５】
前記切り欠き部は、傾斜面、曲面、もしくは、角状面を有することを特徴とする請求項４に記載の液晶表示装置用のバックライトユニット。
【請求項６】
前記複数の導光板は、ライン状に配列されることを特徴とする請求項１乃至請求項５のいずれか一項に記載の液晶表示装置用のバックライトユニット。
【請求項７】
前記複数のＬＥＤは、前記導光板の下部に配置された一体型の印刷回路基板上に配列されることを特徴とする請求項１乃至請求項６のいずれか一項に記載の液晶表示装置用のバックライトユニット。
【請求項８】
前記液晶パネルは複数の分割領域を有し、前記複数のＬＥＤの輝度は、前記各分割領域のグレーレベルのピーク値に応じて前記第２ブロック毎に調節されることを特徴とする請求項１乃至請求項７のいずれか一項に記載の液晶表示装置用のバックライトユニット。
【請求項９】
前記第２ブロックは、前記液晶パネルと時間的に同期化され順次に点灯されることを特徴とする請求項１乃至請求項８のいずれか一項に記載の液晶表示装置用のバックライトユニット。
【発明の詳細な説明】
【技術分野】
【０００１】
本発明は、ＬＥＤと導光板を用いた液晶表示装置用のバックライトユニットに関するものであって、特に、高いコントラスト比を通じた鮮明な画質の具現が可能で、薄型化に有利な液晶表示装置用のバックライトユニットに関する。
【背景技術】
【０００２】
近年、画像表示装置の薄型化、高性能化傾向により、テレビ、モニターなどに液晶表示装置が多く使われている。液晶パネルは自ら光を出すことが出来ないため、液晶表示装置はバックライトユニット（以下、ＢＬＵとも称する）を必要とする。ＢＬＵの光源としては安価で組み立て易い冷陰極蛍光ランプ（ＣＣＦＬ）が使用されてきた。しかし、ＣＣＦＬを用いたＢＬＵはローカルディミングやインパルシブ方式の部分駆動を具現することが困難で、水銀による環境汚染、遅い応答速度などの短所を有している。これを克服すべく、ＣＣＦＬに代えてＬＥＤがＢＬＵ光源として提案された。
【０００３】
液晶表示装置の液晶パネルを複数の領域に分割して、各分割領域のグレーレベル値に応じて各分割領域別にＢＬＵ光源の輝度値を調整することができる。このようなＢＬＵ駆動方式をローカルディミングという。即ち、画面に明るく表示される部分に対応するＢＬＵ領域のＬＥＤが部分的に明るく点灯されたり、その他の画面の部分に対応するＬＥＤは低い輝度で点灯されたり、完全にオフ（ｏｆｆ）状態になることができる。 インパルシブ駆動方式は、ＢＬＵを液晶パネルと時間的に同期化させる駆動方式である。インパルシブ方式によると、ＢＬＵ基板上に上下に配列された多数光源領域が順次に点灯することになる。
【０００４】
一般的にＢＬＵは、直下型ＢＬＵ（直下方式）とエッジ型ＢＬＵ（サイドライト方式）に分けられる。エッジ型では、バー（ｂａｒ）形態の光源が液晶パネルの側部に位置し導光板を通じて液晶パネル側へ光を照射するのに対して、直下型では、液晶パネルの下に位置した面光源から液晶パネルを直接照光する。
【０００５】
液晶パネルの全面へ光を直接照光する直下型ＢＬＵは、ローカルディミングなどの部分駆動方式を具現することができる。ローカルディミングに適用できる方式として、各々のＬＥＤを制御して各ＬＥＤをオン／オフさせる方法と、ＢＬＵを一定領域に分けて各領域別にＬＥＤを駆動させる方法がある。
【０００６】
しかし、各ＬＥＤを個別的に駆動させる場合には、高い消費電力、高温による発熱構造のコスト、回路の複雑性などの問題が生じる。各領域別に駆動させる場合には、領域細分化の困難さとＢＬＵの厚さによりローカルディミングの効果が相対的に衰える。特に、光の均一性確保のため十分の厚さを確保すべきであるため、ＢＬＵの薄型化（さらに液晶表示装置の薄型化）に不利であった。
【０００７】
ＬＥＤと導光板を用いた液晶表示装置用のＢＬＵに関しては、従来から種々の提案がなされており、例えば、特開２００７−２９３３３９号公報（下記特許文献１）には、液晶パネルの下部に配置され上記液晶パネルに光を照射するＢＬＵであって、相互分離されて各々ブロックを形成する複数の導光板と、上記導光板各々の側部に配置され該当ブロックの導光板に光を入光させる複数のＬＥＤとを含み、上記複数のＬＥＤはブロック別に部分駆動される液晶表示装置用のＢＬＵが記載されている。
【０００８】
しかし、特許文献１に記載されたＢＬＵは、導光板がマトリックス形態で配列されているため、導光板を一枚のパネルに組み立てて必要な配線を行う工程が多岐にわたり精密な位置決めが困難であるゆえ、製造コストが高いという問題点があった。
【特許文献１】特開２００７−２９３３３９号公報
【発明の開示】
【発明が解決しようとする課題】
【０００９】
本発明は、前述の従来技術の問題を解決し、導光板を一枚のパネルに組み立てて必要な配線を行う工程が少なく精密な位置決めが容易で製造コストが安い、高品質の画像具現と薄型化に適した液晶表示装置用のＢＬＵを提供することを課題とする。
【課題を解決するための手段】
【００１０】
本発明の液晶表示装置用のＢＬＵは、前述の課題を解決すべく、本発明の、導光板の分割方法を工夫することにより、導光板を一枚のパネルに組み立てて必要な配線を行う工程が少なく精密な位置決めが容易で製造コストが安い、高品質の画像具現と薄型化に適した液晶表示装置用のＢＬＵを提供するものであり、その要旨とするところは、特許請求の範囲に記載した通りの下記内容である。
（１）液晶パネルの下部に配置され該液晶パネルに光を照射するＢＬＵであって、前記ＢＬＵの横（Ｗ）方向もしくは縦（Ｌ）方向に分割された複数の第１ブロックを形成する複数の導光板と、前記複数の導光板の各々の側部に配置され該当ブロックの導光板に光を入光させる複数のＬＥＤとを有し、前記複数のＬＥＤは前記第１ブロックが更に分割された複数の第２ブロックを形成し、前記ＬＥＤは前記第２ブロック毎に部分駆動されることを特徴とする液晶表示装置用のＢＬＵ。
（２）前記ＬＥＤは、隣り合う前記第１ブロックの導光板の下部に配置されることを特徴とする（１）に記載の液晶表示装置用のＢＬＵ。
（３）前記第１ブロックの導光板は、隣り合う第１ブロックの導光板と瓦状に重なることを特徴とする（１）または（２）に記載の液晶表示装置用のＢＬＵ。
（４）前記第１ブロックの導光板の片側に、隣り合う第１ブロックの導光板と嵌合する切り欠き部を有することを特徴とする（３）に記載の液晶表示装置用のＢＬＵ。
（５）前記切り欠き部は、傾斜面、曲面、もしくは、角状面を有することを特徴とする（４）に記載の液晶表示装置用のＢＬＵ。
（６）前記複数の導光板は、ライン状に配列されることを特徴とする（１）乃至（５）のいずれか一項に記載の液晶表示装置用のＢＬＵ。
（７）前記複数のＬＥＤは、前記導光板の下部に配置された一体型の印刷回路基板上に配列されることを特徴とする（１）乃至（６）のいずれか一項に記載の液晶表示装置用のＢＬＵ。
（８）前記液晶パネルは複数の分割領域を有し、前記複数のＬＥＤの輝度は、前記各分割領域のグレーレベルのピーク値に応じて前記第２ブロック毎に調節されることを特徴とする（１）乃至（７）のいずれか一項に記載の液晶表示装置用のＢＬＵ。
（９）前記第２ブロックは、前記液晶パネルと時間的に同期化され順次に点灯されることを特徴とする（１）乃至（８）のいずれか一項に記載の液晶表示装置用のＢＬＵ。
【発明の効果】
【００１１】
本発明によれば、導光板を縦横のマトリックス状に分割せず、ＢＬＵの横（Ｗ）方向もしくは縦（Ｌ）方向に分割された複数の第１ブロックを形成するとともに、前記複数の導光板の各々の側部に配置され該当ブロックの導光板に光を入光させる複数のＬＥＤとを有し、前記複数のＬＥＤは前記第１ブロックが更に分割された複数の第２ブロックを形成するので、導光板を一枚のパネルに組み立てて必要な配線を行う工程が少なく精密な位置決めが容易で製造コストが安いうえ、高鮮明、高画質、高コントラスト比の画面具現が容易で、効果的な部分駆動が可能である。  
【００１２】
また、部分駆動可能なＢＬＵ厚さを小さくすることが容易なので、高品質の画像具現と薄型化に適した液晶表示装置用のＢＬＵを提供することができるなど、産業上有用な著しい効果を奏する。
晶表示装置用のＢＬＵを提供する
【発明を実施するための最良の形態】
【００１３】
本発明を実施するための最良の形態について、図１乃至図7を用いて詳細に説明する。
【００１４】
本発明の実施形態は、様々な形態に変形されることができ、本発明の範囲が以下に説明する実施形態に限られるのではない。図面上の同一符号で表示される要素は同一要素である。
【００１５】
図１は、本発明のＢＬＵの実施形態を示す斜視図である。
【００１６】
図１に示すように、本発明のＢＬＵは、フレーム１及びフレーム３の間に下面から、ＬＥＤを実装した基板、フレーム２、複数に分割された反射シート、複数に分割された導光板、および、少なくとも１枚の拡散シートを積層した構造（図１では３枚構成）になっている。またフレーム２とＬＥＤを実装した基板の位置関係は反対になる場合もある。
【００１７】
本発明に用いる導光板は、ＢＬＵの横（Ｗ）方向もしくは縦（Ｌ）方向に分割された複数の第１ブロックを形成するとともに、前記複数の導光板の各々の側部に配置され該当ブロックの導光板に光を入光させる複数のＬＥＤとを有し、前記複数のＬＥＤは前記第１ブロックが更に分割された複数の第２ブロックを形成し、前記ＬＥＤは前記第２ブロック毎に部分駆動されることを特徴とする。
【００１８】
前述の特許文献１のように導光板を縦横のマトリックス状に分割せず、ＢＬＵの横（Ｗ）方向もしくは縦（Ｌ）方向に分割された複数の第１ブロックを形成するとともに、前記複数の導光板の各々の側部に配置され該当ブロックの導光板に光を入光させる複数のＬＥＤとを有し、前記複数のＬＥＤは前記第１ブロックが更に分割された複数の第２ブロックを形成するので、導光板を一枚のパネルに組み立てて必要な配線を行う工程が少なく精密な位置決めが容易で製造コストが安い、高品質の画像具現と薄型化に適した液晶表示装置用のＢＬＵを提供することができる。
【００１９】
図２は、本発明のＢＬＵの実施形態を示す上面図である。
図３は、本発明のＢＬＵの実施形態を示す図２のＡ−Ａ断面図であり、図４は、図２のＢ透視図、図５は、図１のＣ詳細図である。
【００２０】
本発明の実施形態によると、上記ＬＥＤは隣り合うブロックの導光板の下部に配置されることができる。この場合、導光板は、隣り合う導光板と瓦状に重ねることができる。上記ＬＥＤはサイドビューと称されるタイプが用いられ、導光板側のみに光を発するため、観察者側から見ると上記ＬＥＤ部分は発光していないため、暗くみえてしまう。また上記ＬＥＤは点状光源であるために、拡散しきれず均一な面発光とならない部分が、導光板の入光部近傍に存在するのが一般的である。
このように、隣り合う導光板を瓦状に重ねることにより、隣り合う導光板の均一な発光部で、上記ＬＥＤの上部付近の暗部、及び入光近傍の不均一な部分を覆い隠し、観察者からは見えにくくしてしまうことが出来る。好ましくは、一ブロックの導光板と隣り合う導光板が瓦状に重なるように、上記他ブロックの導光板の一側には隣り合う導光板と嵌合させる切り欠き部を設けることが好ましく、この上記切り欠き部は傾斜面、丸い面又は角状面を有することができる。
【００２１】
図６は、本発明のＢＬＵに用いる第１ブロックに分割された導光板を例示する平面図および断面図である。
【００２２】
図７は、本発明のＢＬＵに用いる第２ブロックに分割されたＬＥＤを例示する回路図である。
【００２３】
図６に示すように、本発明の好ましい実施形態によると、上記複数の導光板はライン形態で配列されＢＬＵの横（Ｗ）方向もしくは縦（Ｌ）方向に分割された複数の第１ブロックを形成し、前記複数の導光板の各々の側部に配置され該当ブロックの導光板に光を入光させる複数のＬＥＤは前記第１ブロックが更に分割された複数の第２ブロックを形成し、前記ＬＥＤは前記第２ブロック毎に部分駆動される。
【００２４】
また、上記複数のＬＥＤは上記導光板の下部に配置された一体型の印刷回路基板上に配列されることができる。この場合、上記ＬＥＤの各々は複数個のブロックに亘って配置されることができる。
【００２５】
本発明の実施形態によると、上記複数のＬＥＤはローカルディミング方式で駆動されることができる。この場合、上記液晶パネルは複数の分割領域を有し、上記複数のＬＥＤの輝度は、上記各分割領域のグレーレベルのピーク値に応じて上記ブロック別に調節されることができる。
【００２６】
本発明の実施形態によると、上記複数のＬＥＤはインパルシブ方式で駆動されることができる。この場合、上記ブロックは上記液晶パネルと時間的に同期化され順次に点灯されることができる。
【００２７】
ＢＬＵは相互分離された多数の導光板（１０１，２０１，３０１・・・）を含む。各々の導光板は第１ブロック（１０１，２０１，３０１・・・）を形成し、導光板の側部には前記第１ブロックが更に分割された複数の第２ブロックのＬＥＤ（１５０：１５０ａ,１５０ｂ・・・,２５０：２５０ａ,２５０ｂ・・・，３５０：３５０ａ,３５０ｂ・・・、・・・）が配置されている。即ち、一つの第１ブロックを形成する導光板１０１ａの側部には、その導光板１０１ａに光を入光させるＬＥＤ１５０ａ(１５０ａ,１５０ｂ,・・・)が配置される。他の第１ブロックを形成する導光板２０１の側部には、その導光板２０１に光を入光させるＬＥＤ２５０(２５０ａ,２５０ｂ,・・・)が配置される。さらに他の第１ブロックを形成する導光板３０１の側部には、その導光板３０１に光を入光させるＬＥＤ３５０(３５０ａ,３５０ｂ,・・・)が配置される。このような導光板とＬＥＤの組み合わせが多数個配列され全体ＢＬＵを形成することができる。
【００２８】
少なくとも一つの第１ブロックのＬＥＤ（１５０ａ，１５０ｂ,・・・）は、隣り合う第１ブロックの導光板２０１の下部に配置されている。例えば、複数のＬＥＤ１５０(１５０ａ,１５０ｂ,・・・)は、隣り合う導光板２０１の下に配置されている。また、最外郭に位置したＬＥＤ４５０(４５０ａ,４５０ｂ,・・・)を除いては、第１ブロックの導光板（例えば、１０１ａ）は、隣り合う他の第１ブロックの導光板（例えば、２０１）と瓦状に重ねられている。このように、一つの第１ブロックの導光板と隣り合う他の第１ブロックの導光板とを瓦状に重ねることにより、ＬＥＤの上部及びＬＥＤ入光近傍の導光板に発生する不均一な発光部分を、十分に均一な発光部で覆い遮ることが出来る。これは液晶パネルに向かう光の均一性の確保に役立つ。
【００２９】
隣り合う他ブロックの導光板１０１ａ、２０１を容易に瓦状に重ねるため、上記他ブロックの導光板１０１ｂの一側（ＬＥＤ１５０ａ,１５０ｂ,・・・）と隣接する一側）に導光板２０１を収めるための切り欠き部が備えられている。図６の右側の断面図はこのような切り欠き部の様々な実施例を表している。
【００３０】
図６の右側に図示されたとおり、ＬＥＤ１５０（ＬＥＤ１５０ａ,１５０ｂ,・・・）に隣接した導光板１０１の一側端には傾斜面を有する切り欠き部が備えられている。ここで、導光板２０１は、ＬＥＤ１５０(１５０ａ,１５０ｂ,・・・)の該当ブロック（ＬＥＤ１５０ａ,１５０ｂ,・・・が入光させるブロック）に隣り合う導光板であることに注意されたい。このような切り欠き部を通じてＬＥＤ１５０(１５０ａ,１５０ｂ,・・・)は導光板２０１の上記一側の下部に収められることができ、ＬＥＤ１５０(１５０ａ,１５０ｂ,・・・)の上部及びＬＥＤ１５０(１５０ａ,１５０ｂ,・・・)が入光する導光板１０１の入光近傍の暗部を、導光板２０１の下に隠すことができる。他の実施形態として、ＬＥＤ２５０に隣接した導光板２０１の一側端には丸い面を有する切り欠き部が備えられることができる。またＬＥＤ３５０(３５０ａ,３５０ｂ,・・・)に隣接した導光板３０１の一側端には角状面を有する切り欠き部が備えられることもできる。
【００３１】
各ブロックの導光板に光を入光させるＬＥＤは、例えば、青色ＬＥＤ、緑色ＬＥＤ及び赤色ＬＥＤを含むことができる。一つのブロックに対して複数個の青色、緑色及び赤色ＬＥＤが配置されることができる。青色、緑色及び赤色ＬＥＤから放出された青、緑及び赤色光は相互混色され、優れた色再現性を有する白色光を作ることができる。これとは異なって、白色ＬＥＤ（例えば、青色ＬＥＤチップに黄色蛍光体を用いた白色ＬＥＤ）を各ブロックの導光板の側部に配置させることもできる。一つのブロックに対して複数個の白色ＬＥＤを配置することができる。さらに他の例として、各ブロックの側部に青色、緑色、赤色及び白色ＬＥＤを全て配置させることもできる。
【００３２】
複数の第１ブロックの導光板１０１，２０１，３０１の側部に配置された上記複数のＬＥＤは、第２ブロック別に部分駆動されることができる。例えば、一つの第１ブロックの導光板１０１の側部に配置されたＬＥＤ１５０ｂが点灯された状態にある間、他の第２ブロックのＬＥＤ１５０ａ，１５０ｃは消灯された状態にあることができることにより、一つの第１ブロックの導光板を複数の第２ブロックとして分割駆動させることが出来る。また、第２ブロック別に異なる輝度で点灯されることもできる。本発明によると、第２ブロック別にＬＥＤが配置されているため、部分駆動を具現することが非常に容易である。
【００３３】
さらに、従来の直下型ＢＬＵのようにＢＬＵの厚さを利用して光の均一性の確保を行う必要がないため（即ち、本発明では導光板を用いて面光源として液晶パネルに光を伝達する）、部分駆動が可能でありつつ厚さを薄くすることができる。これによって、部分駆動による効果（例えば、ローカルディミング方式によるコントラスト比の増加、鮮やかな画質の具現など）を十分得ることができ、製品を薄型化させるにも有利である。
【００３４】
ＢＬＵは相互分離された複数の導光板（１０１，２０１，３０１など）を備え、各々の導光板は一種の単位面光源ブロックを形成する。一つの第１ブロックの導光板(例えば、１０１)の側部には、該当ブロックの導光板に光を入光させる複数の第２ブロックのＬＥＤ（例えば、１５０ａ，１５０ｂ，１５０ｃなど）が配置されている。また、複数のＬＥＤ（１５０ａ，１５０ｂ，１５０ｃなど）は一体型の印刷回路基板１６０上に実装又は配列されている。特に、各々の一体型の印刷回路基板は複数の第２ブロックに亘って配置されることにより、各々の印刷回路基板は一連のブロックを担当することができる。
【００３５】
複数の導光板がライン形態で配列されている。ラインを成す導光板（１０１,２０１,３０１など）の合計数、及び導光板（１０１,２０１,３０１など）一つの面積は、必要に応じて様々に変えることができる。各導光板の形状は、図示されたような四角形に限られるのでなく、例えば、三角形、六角形の導光板も可能である。各ブロック（各ブロックの導光板）から出る光は液晶パネルを照らすことになる。導光板を用いて液晶パネルを照光するため、直下型ＢＬＵでは要される拡散板は不要となる。
【００３６】
上記ＢＬＵは、ＢＬＵの構造と動作の面で様々な利点を提供する。最初に、多数の第１ブロックに分割された導光板を使用することにより、各第１ブロック別に部分駆動させることが容易である。一体型の印刷回路基板１６０は各第２ブロック別にＬＥＤ１５０に電源を供給することにより、ＬＥＤは第２ブロック別に駆動することになる。これによって、第２ブロック毎に異なる輝度で光を出すことが可能となるため、上記第１ブロックの導光板を第２ブロック毎に分割駆動させるのと同様の効果を得ることが可能となる。
【００３７】
次に、部分駆動可能なＢＬＵとして薄型化に有利である。従来のローカルディミング方式で駆動されるＢＬＵは、直下型ＢＬＵであるためＢＬＵの薄型化に不利である。しかし、本発明のＢＬＵは複数のブロックに分割された導光板を用いることにより、部分駆動可能なＢＬＵの薄型化を容易に実現させることができる。さらに、直下型ＢＬＵにて要される拡散板も不要となる。
【００３８】
三番目に、複数のブロックに分割された導光板を用いることにより、各ブロックの光量分布を比較的明確に区分させることができる。従来の部分駆動される直下型ＢＬＵでは、特定光源領域から発生した光が隣の他の光源領域にまで影響するため、光量分布が各光源領域別に明確に区分することが困難である。しかし、本発明では横（Ｗ）方向もしくは縦（Ｌ）方向に完全に分離された導光板を使用するため、各ブロックの光量分布を明確に限定又は区分させることができる。
【００３９】
上記ＢＬＵは、特にローカルディミング駆動方式を効果的に支援することができる。この場合、液晶パネルは複数の分割領域を有し、上記複数のＬＥＤの輝度は、上記各分割領域のグレーレベルのピーク値に応じて上記ブロック別に調節されることができる。これによって、画面に明るく表示される部分に該当するブロックは相対的に高い輝度で光を出したり、他のブロックは低い輝度で光を出したり完全にオフになる。このようなローカルディミング駆動方式によると、明るい部分はさらに明るく、暗い部分はさらに暗くなり画面のコントラスト比を増大させることができ、より立体感のある映像を具現することができる。例えば、爆発シーンを画面に表す時、爆発部分に対応するブロックのＬＥＤを高い輝度で点灯し、他の部分に対応するブロックのＬＥＤを低い輝度で点灯したりオフしたりすることにより、活き活きとした爆発シーンを具現することができる。
【００４０】
さらに、上記ＢＬＵはインパルシブ方式で駆動されることができる。この場合、上記ＢＬＵのブロックは上記液晶パネルと時間的に同期化され順次に点灯されることができる。このようなインパルシブ方式を適用することにより、鮮やかな画質具現に役立ち、不要なＬＥＤ点灯時間を減らすことができる。他にも、上記ＢＬＵはカラーフィルタ無しで色相を具現することができるＣＦＬ（ｃｏｌｏｒ ｆｉｌｅｒｌｅｓｓ）駆動方式を支援することができる。
【００４１】
上記実施形態では、複数の導光板がライン形態で配列されているが、本発明はこれに限定されず、様々な方式で導光板が配列されることができる。また、各々の導光板の形状も四角形のみに限定されない。各々の導光板は、例えば、三角形又は六角形などの様々な形態の多角形を有することができる。また、各導光板の‘一’側部のみＬＥＤが配置される必要は無い。例えば、各導光板の一側部のみならず上記一側部と接する他側部にもＬＥＤが配置されることもできる。
【図面の簡単な説明】
【００４２】
【図１】本発明のバックライトユニットの実施形態を示す斜視図である。
【図２】本発明のバックライトユニットの実施形態を示す上面図である。
【図３】本発明のバックライトユニットの実施形態を示す図２のＡ−Ａ断面図である。
【図４】図２のＢ透視図である。
【図５】図１のＣ詳細図である。
【図６】本発明のバックライトユニットに用いる第１ブロックに分割された導光板を例示する平面図および断面図である。
【図７】本発明のバックライトユニットに用いる第２ブロックに分割されたＬＥＤを例示する回路図である。
【符号の説明】
【００４３】
１０１、 ２０１、 ３０１、４０１ 導光板(第１ブロック)
１５０a-f、 ２５０a-f、 ３５０a-f,４５０a-f  ＬＥＤ（第２ブロック）
１６０ 印刷回路基板（ＰＣＢ）
【図１】
2009186523.tif 000003
【図２】
2009186523.tif 000004
【図３】
2009186523.tif 000005
【図４】
2009186523.tif 000006
【図５】
2009186523.tif 000007
【図６】
2009186523.tif 000008
【図７】
2009186523.tif 000009